(57)【要約】【課題】頭髪に、その広い面積に亙って均一に水を浴びせかけることができると共に、吹き込む空気の圧力を調整することにより、適度に水の噴射量を調節することができるようにする。【解決手段】皿状に彎曲した水の噴射面５に多数の小孔６、６、６・・・を穿設し、本体部７における筒状をなす水の流入口８を前記ペットボトル１の筒状の口部２に接続可能としたシャワーヘッドである。更に本体部７の壁面に、内外に貫通する所要の長さの空気吹き込み用フレキシブルチューブ９を取り付けると共に、該空気吹き込み用フレキシブルチューブ９の本体部７内側の端部９Ａを水の流入口８内に臨ませる。【選択図】図４
0003135688.tif 000002
【実用新案登録請求の範囲】
【請求項１】
皿状に彎曲した水の噴射面に多数の小孔を穿設し、本体部における筒状をなす水の流入口をペットボトルの筒状の口部に接続可能としたシャワーヘッドであって、更に本体部の壁面に、内外に貫通する所要の長さの空気吹き込み用フレキシブルチューブを取り付けると共に、該空気吹き込み用フレキシブルチューブの本体部内側の端部を水の流入口内に臨ませてなる介護用シャワーヘッド。
【請求項２】
空気吹き込み用フレキシブルチューブにおける空気吹き込み口に、吸盤形のマウスピースを取着してなる請求項１記載の介護用シャワーヘッド。
【請求項３】
本体部における水の流入口を、ペットボトルの口部に螺合によって接続するようになした請求項１又は２記載の介護用シャワーヘッド。
【請求項４】
本体部における水の流入口を、ペットボトルの口部に嵌合によって接続するようになした請求項１又は２記載の介護用シャワーヘッド。
【考案の詳細な説明】
【技術分野】
【０００１】  本考案は、介護用シャワーヘッドに関し、更に詳細にはペットボトルの口部に接続し、ペットボトル内に充填した水をシャワーとして利用することを可能となした介護用シャワーヘッドに係わる。
【背景技術】
【０００２】  老人や病人の介護は、介護する者にとって実に大変な労力の負担を伴うものである。特に寝たきりの人の介護はより一層大きな負担がかかることになる。そしてこのような寝たきりの人でも身体を不衛生にすることはできず、洗髪もしなければならない。【０００３】  而して、従来この洗髪を行う場合には、寝台等の上にビニールシートとＵ字形の枠をもって水受けを形成し、この水受けに頭部を乗せた状態において上からペットボトル内に充填した水をかけて洗髪していた。尚、流れ落ちる水は水受けからバケツ等に流下するようにしている。【０００４】  しかし乍ら、このように単にペットボトル内に充填した水をかける方法の場合、ペットボトルから放出された水は、空気の流入に伴って脈打つように且つ一本の太い棒状の如く流れ落ちる。このため大量に流れるにもかかわらず水が当たる面積が狭く且つまた髪に触れた一部が髪に浸み込むだけで、その殆どは無駄になって流れ落ちる。そしてまた、このために何回も水をペットボトルに充填しなおさなければならない。したがって、水を浴びせかける効率がきわめて悪かった。
【考案の開示】
【考案が解決しようとする課題】
【０００５】  本考案は上記の点に鑑みなされたものであって、ペットボトル内に充填した水を多数の小孔から放射状に均一に噴射させ、もって頭髪に、その広い面積に亙って均一に水を浴びせかけることができ、而も空気吹き込み用フレキシブルチューブから本体部内に吹き込む空気の圧力を調整することにより、例えば頭頂や側頭部といった洗髪の部位や洗髪の進行状況に応じて適度に水の噴射量を調節することもできるようになした介護用シャワーヘッドを提供せんとするものである。
【課題を解決するための手段】
【０００６】  而して、本考案の要旨とするところは、皿状に彎曲した水の噴射面に多数の小孔を穿設し、本体部における筒状をなす水の流入口をペットボトルの筒状の口部に接続可能としたシャワーヘッドであって、更に本体部の壁面に、内外に貫通する所要の長さの空気吹き込み用フレキシブルチューブを取り付けると共に、該空気吹き込み用フレキシブルチューブの本体部内側の端部を水の流入口内に臨ませてなる介護用シャワーヘッドにある。【０００７】  また、上記構成において、空気吹き込み用フレキシブルチューブにおける空気吹き込み口に、吸盤形のマウスピースを取着するようになしてもよい。このようになした場合には、マウスピースを口内の歯と唇との間で挟んで保持することにより、空気吹き込み用フレキシブルチューブの吹き込み口の保持が安定する。したがって、これを単に銜えるよりも楽で口が疲れず、而も空気の圧力を高めるときも口から脱落しないから、力を入れやすくなる。【０００８】  また、本体部における水の流入口をペットボトルの口部に接続する手段としては、螺合による場合と嵌合による場合とが考えられ、本体部の材質等を基にいずれかを採用すればよい。
【考案の効果】
【０００９】  本考案は上記の如き構成であるから、ペットボトル内に充填した水を多数の小孔から放射状に均一に噴射させることができるものである。もって頭髪に、その広い面積に亙って均一に水を浴びせかけることができるものである。而も空気吹き込み用フレキシブルチューブから本体部内に吹き込む空気の圧力を調整することにより、例えば頭頂や側頭部といった洗髪の部位や洗髪の進行状況に応じて適度に水の噴射量を調節することもできるものである。したがって、従来に比してはるかに効率よく洗髪を行うことができるものである。そしてまたこれに伴い労力の負担を大幅に軽減することができるものである。【００１０】  また、空気吹き込み用フレキシブルチューブにおける空気吹き込み口に、吸盤形のマウスピースを取着するようになした場合には、マウスピースを口内の歯と唇との間で挟んで保持することにより、空気吹き込み用フレキシブルチューブの吹き込み口の保持が安定する。したがって、これを単に銜えるよりも楽で口が疲れず、而も空気の圧力を高めるときも口から脱落しないから、力を入れやすくなるものである。
【考案を実施するための最良の形態】
【００１１】  本考案を実施するための最良の形態は、皿状に彎曲した水の噴射面に多数の小孔を穿設し、本体部における筒状をなす水の流入口をペットボトルの筒状の口部に接続可能としたシャワーヘッドであって、更に本体部の壁面に、内外に貫通する所要の長さの空気吹き込み用フレキシブルチューブを取り付けると共に、該空気吹き込み用フレキシブルチューブの本体部内側の端部を水の流入口内に臨ませてなる介護用シャワーヘッドにある。
【実施例１】
【００１２】  以下、本考案の実施例について説明する。
図１は本考案の第１実施例に係る介護用シャワーヘッドの一部省略して示した使用状態の斜視図、図２は同中央縦断正面図、図３は空気吹き込み用フレキシブルチューブにおける空気吹き込み口の部分断面図、図４は作用説明図である。【００１３】  図中１はペットボトルであり、２は該ペットボトル１の筒状の口部である。３は該ペットボトル１内に充填した水である。【００１４】  ４は介護用シャワーヘッドである。また、該介護用シャワヘッド４は、皿状に彎曲した水の噴射面５に多数の小孔６、６、６・・・を穿設し、本体部７における筒状をなす水の流入口８を前記ペットボトル１の筒状の口部２に接続可能としたシャワーヘッドであって、更に本体部７の壁面に、内外に貫通する所要の長さの空気吹き込み用フレキシブルチューブ９を取り付けると共に、該空気吹き込み用フレキシブルチューブ９の本体部７内側の端部９Ａを水の流入口８内に臨ませてなるものである。また、空気吹き込み用フレキシブルチューブ９は、本実施例ではゴムチューブを用い、そして本体部７から外側に出ている部分の長さは８０ｃｍ程度としている。尚、９ａはチューブ接続部材である。【００１５】  また、空気吹き込み用フレキシブルチューブ９の空気吹き込み口９Ｂは、これをそのまま口に銜えて空気の吹き込み操作を行ってもよいが、図３に示す如く、これに吸盤形のマウスピース１０を取着し、該マウスピース１０を口内の歯と唇との間に挟んで保持し、これを介して空気を吹き込むようにしてもよい。【００１６】  また、本実施例においては、シャワーヘッドの本体部７における水の流入口８をペットボトル１の口部２に接続する手段として、螺合によって接続する場合を示している。即ち、シャワーヘッドの本体部７における水の流入口８の内面に螺旋状の溝８ａを設け、該螺旋状の溝８ａを、ペットボトル１の口部２の外周に設けた螺旋状の突起２ａに螺合させることによって行っている。【００１７】  次に、上記実施例の作用について説明する。
ペットボトル１を倒した状態において空気吹き込み用フレキシブルチューブ９から空気を吹き込むと、図４に示す如く、ペットボトル１内に充填した水３が水の噴射面５の多数の小孔６、６、６・・・から放射状に均一に噴射するものである。而も空気吹き込み用フレキシブルチューブ９から本体部７内に吹き込む空気の圧力を調整することにより、適度に水の噴射量を調節することもできるものである。また、水の噴射を止めるときには、空気の吹き込みを中止し、空気吹き込み用チューブ９を指で押す等して閉塞するものである。
【実施例２】
【００１８】  次に、図５に示した本考案の第２実施例について説明する。
本実施例は、シャワーヘッドの本体部における水の流入口をペットボトルの口部に接続する手段の点において前記第１実施例と相違するものである。即ち、本実施例においては、シャワーヘッドの本体部７における水の流入口８を筒状のままとし、ペットボトル１の口部２に外嵌して接続するものである。尚、その他の構成並びに作用は前記第１実施例と同様であるから、同一の部材には同一の符号を付して詳細な説明は省略する。
【実施例３】
【００１９】  次に、図６に示した本考案の第３実施例について説明する。
本実施例は、シャワーヘッドの本体部における水の流入口をペットボトルの口部に接続する手段の点において前記第１実施例と相違するものである。即ち、本実施例においては、シャワーヘッドの本体部７における水の流入口８を筒状のままとし、ペットボトル１の口部２に内嵌して接続するものである。尚、その他の構成並びに作用は前記第１実施例と同様であるから、同一の部材には同一の符号を付して詳細な説明は省略する。
【図面の簡単な説明】
【００２０】
【図１】本考案の第１実施例に係る介護用シャワーヘッドの一部省略して示した使用状態の斜視図である。
【図２】図１に示した実施例の中央縦断正面図である。
【図３】空気吹き込み用フレキシブルチューブにおける空気吹き込み口の部分断面図である。
【図４】本考案の作用説明図である。
【図５】本考案の第２実施例に係る介護用シャワーヘッドの部分断面図である。
【図６】本考案の第３実施例に係る介護用シャワーヘッドの部分断面図である。
【符号の説明】
【００２１】１  ペットボトル
２  ペットボトルの口部
４  介護用シャワーヘッド
５  水の噴射面
６、６  小孔
７  シャワーヘッドの本体部
８  水の流入口
９  空気吹き込み用フレキシブルチューブ
１０  マウスピース
【図１】
0003135688.tif 000003
【図２】
0003135688.tif 000004
【図３】
0003135688.tif 000005
【図４】
0003135688.tif 000006
【図５】
0003135688.tif 000007
【図６】
0003135688.tif 000008